(57)【特許請求の範囲】
【請求項１】
外郭を構成する筐体と、
前記筐体の内部に配置された端子台と、
前記端子台を支持する端子台支持部材と、
前記端子台と前記端子台支持部材とに挟まれて配置されたアース接地板と、を備え、
前記アース接地板には、前記端子台支持部材に係止させる係止部が設けられており、
前記端子台と、前記端子台支持部材に前記係止部で係止させた前記アース接地板と、を前記端子台支持部材に共締めする固定部材を有する、空気調和機の室外機。
【請求項２】
前記係止部は、前記アース接地板の縁辺の一部を折り返したＵ字状とされ、
前記アース接地板は、前記係止部のＵ字状の内部へ前記端子台支持部材の縁辺が差し込まれて前記端子台支持部材に係止されている、請求項１に記載の空気調和機の室外機。
【請求項３】
前記端子台には、前記端子台支持部材に向かって突き出す突起部が設けられ、
前記端子台支持部材には、前記突起部が挿入される突起挿入部が形成されている、請求項１又は２に記載の空気調和機の室外機。
【請求項４】
前記アース接地板は、前記筐体にネジ部材で固定されている、請求項１〜３のいずれか一項に記載の空気調和機の室外機。
【発明の詳細な説明】
【技術分野】
【０００１】
本発明は、端子台にアース接地用の板金部品を備えた空気調和機の室外機に関するものである。
【背景技術】
【０００２】
従来、空気調和機の室外機は、筐体の内部に収納された電装品ユニットの端子に配線を接続するため端子台と、該端子台を支持する合成樹脂製の端子台支持部材と、を備えた構成が知られている。【０００３】
例えば特許文献１には、空気調和機に使用される樹脂製電装箱の電源電線固定装置が開示されている。この電源電線固定装置は、端子台支持部材である樹脂製電装箱の表面に、端子台である複数のターミナルが並列に配置されて、それぞれ個別にネジ接合された構成である。樹脂製電装箱の裏面には、漏洩遮断機を接続するための板金製の補強板が取り付けられている。
【先行技術文献】
【特許文献】
【０００４】
【特許文献１】特開平７−２８０２９５号公報
【発明の概要】
【発明が解決しようとする課題】
【０００５】
特許文献１に開示された電源電線固定装置は、補強板及び複数の端子台が、それぞれ個別に樹脂製電装箱にネジ接合されるため、組み立て工数が多くなる。そのため、この電源電線固定装置は、組立作業に手数を要し、作業性が悪い問題がある。また、この電源電線固定装置は、複数のネジ部材が必要なので部材点数が多くなるし、ネジ部材をネジ込むためのネジ孔を形成する加工も必要なので、製造コストが嵩む。更に、この電源電線固定装置は、補強板を係止させて仮止めする手段を備えていないので、補強板が位置ずれしないように手で押さえながら樹脂製電装箱にネジ部材で固定する必要があり、作業性が悪い。【０００６】
本発明は、上記のような課題を解決するためになされたものであり、端子台及びアース接地板を端子台支持部材に取り付ける組立作業の作業性の向上を図ることができる空気調和機の室外機を提供することを目的とする。
【課題を解決するための手段】
【０００７】
本発明に係る空気調和機の室外機は、外郭を構成する筐体と、前記筐体の内部に配置された端子台と、前記端子台を支持する端子台支持部材と、前記端子台と前記端子台支持部材とに挟まれて配置されたアース接地板と、を備え、前記アース接地板には、前記端子台支持部材に係止させる係止部が設けられており、前記端子台と、前記端子台支持部材に前記係止部で係止させた前記アース接地板と、を前記端子台支持部材に共締めする固定部材を有するものである。
【発明の効果】
【０００８】
本発明に係る空気調和機の室外機によれば、端子台支持部に係止させる係止部がアース接地板に形成されており、端子台と、端子台支持部に係止させたアース接地板とを、端子台支持部材に共締めする固定部材が設けられている。よって、この室外機は、端子台及びアース接地板を端子台支持部材に取り付ける組立作業において、アース接地板を端子台支持部材に係止部で係止させて仮固定し、アース接地板を安定させた状態で、端子台とアース接地板とを、共通の固定部材で端子台支持部材に共締めできるので、組立作業に必要な手数を省略することができ、作業性の向上を図ることができる。
【図面の簡単な説明】
【０００９】
【図１】本発明の実施の形態に係る空気調和機の室外機を示した斜視図である。
【図２】本発明の実施の形態に係る空気調和機の室外機の内部構造を示した斜視図である。
【図３】本発明の実施の形態に係る空気調和機の室外機の電装品ユニットを分解して示した斜視図である。
【図４】本発明の実施の形態に係る空気調和機の室外機の電装品ユニット及び電源ユニットを右側面パネルに取り付けた状態を示した部分拡大斜視図である。
【図５】図４に示したＡ部拡大図である。
【図６】本発明の実施の形態に係る空気調和機の室外機の電源ユニットを正面側から見た状態を示した斜視図である。
【図７】本発明の実施の形態に係る空気調和機の室外機の電源ユニットを背面側から見た状態を示した斜視図である。
【図８】本発明の実施の形態に係る空気調和機の電源ユニットを分解して示した斜視図である。
【図９】本発明の実施の形態に係る空気調和機の室外機の端子台を示した斜視図である。
【図１０】本発明の実施の形態に係る空気調和機の室外機の端子台支持部材を示した斜視図である。
【図１１】図１０に示したＢ−Ｂ線矢視断面図である。
【図１２】本発明の実施の形態に係る空気調和機の室外機のアース接地板を示した斜視図である。
【発明を実施するための形態】
【００１０】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１１】
実施の形態．
図１は、本発明の実施の形態に係る空気調和機の室外機を示した斜視図である。図２は、本発明の実施の形態に係る空気調和機の室外機の内部構造を示した斜視図である。なお、以下に記載する奥行き、左右、上下方向は、図１に記載した方向で定義する。
【００１２】
実施の形態に係る空気調和機の室外機１００は、図１に示すように、外郭を構成する筐体１を備えている。筐体１は、一例として前側面パネル１０、右側面パネル１１、底面パネル１２、天面パネル１３、及び背面パネル１４で構成されている。前側面パネル１０は、筐体１の前面側及び左側面側を構成するものであり、例えば平面視Ｌ字形状の部材で構成される。筐体１の前側面パネル１０には、円形状の吹出口が形成されており、吹出口を覆うファンガード１６が取り付けられている。また、室外機１００は、底面パネル１２の下面に取り付けられた脚部１５を設置場所に固定して安定させる構造となっている。
【００１３】
筐体１の内部は、図２に示すように、セパレータ１７によって、熱交換器２０及びプロペラファン２１によって熱交換を行う送風機室２と、圧縮機３０によって冷媒の圧縮などを行う機械室３と、に区画されている。
【００１４】
送風機室２には、熱交換器２０、プロペラファン２１、モーター２２、及びモーター取付台２３が設けられている。モーター取付台２３は、プロペラファン２１を取り付けたモーター２２を保持する部材であり、熱交換器２０の前方に設けられている。室外機１００は、プロペラファンが動作することで、熱交換器２０を通過した空気が内部に導入されてプロペラファン２１を通過し、室外機１００の前方へ排出される構成である。これにより、室外機１００は、例えば冷房運転中において、熱交換器２０内で冷媒が空気によって冷却され、熱交換器２０を通過した空気が冷媒と熱交換することで過熱される構成となる。
【００１５】
機械室３には、圧縮機３０、冷媒配管３１、電装品ユニット４、及び電源ユニット５が設けられている。圧縮機３０は、底面パネル１２の上面に載置されており、室内機から送られた冷媒を圧縮する。圧縮機３０で圧縮された冷媒は、冷媒配管３１を通って熱交換器２０に送られる。電装品ユニット４及び電源ユニット５は、圧縮機３０及び冷媒配管３１の上方に設けられている。
【００１６】
図３は、本発明の実施の形態に係る空気調和機の室外機の電装品ユニットを分解して示した斜視図である。図４は、本発明の実施の形態に係る空気調和機の室外機の電装品ユニット及び電源ユニットを右側面パネルに取り付けた状態を示した部分拡大斜視図である。図５は、図４に示したＡ部拡大図である。電装品ユニット４は、図３に示すように、制御基板４０と、制御基板４０を固定する合成樹脂製の基板固定枠４１と、基板固定枠４１の上面に取り付けられて制御基板４０を保護する基板保護板金４２と、を備えており、各部品への電力供給等を行うためのものである。制御基板４０の下面には、排熱を補助するためのヒートシンク４３が組み付けられている。ヒートシンク４３は、合成樹脂製の絶縁保護部材４４を介して基板固定枠４１に取り付けられたヒートシンク固定板金４５により固定されている。
【００１７】
電源ユニット５は、図４及び図５に示すように、右側面パネル１１に形成された開口部１１ａの開口縁に設けられた筐体１内へ向かって突き出る取付部１１ｂに、筐体１の室内側へ向かって傾斜させた状態で取り付けられている。電源ユニット５は、右側面パネル１１に形成された開口部１１ａを介して外部に露出されており、通常の状態では、図１に示すように、右側面パネル１１の外面に取り付けられた保護カバー１８で覆われて、埃や水が入らないように保護されている。なお、図５に示した端子台支持部材７、アース接地板８、フランジ部７１、爪部７１ａ、ネジ部材８３、及びアースねじ８４については、後述する。
【００１８】
次に、図６〜図１２に基づいて、電源ユニット５の構成を具体的に説明する。図６は、本発明の実施の形態に係る空気調和機の室外機の電源ユニットを正面側から見た状態を示した斜視図である。図７は、本発明の実施の形態に係る空気調和機の室外機の電源ユニットを背面側から見た状態を示した斜視図である。図８は、本発明の実施の形態に係る空気調和機の電源ユニットを分解して示した斜視図である。図９は、本発明の実施の形態に係る空気調和機の室外機の端子台を示した斜視図である。図１０は、本発明の実施の形態に係る空気調和機の室外機の端子台支持部材を示した斜視図である。図１１は、図１０に示したＢ−Ｂ線矢視断面図である。図１２は、本発明の実施の形態に係る空気調和機の室外機のアース接地板を示した斜視図である。
【００１９】
電源ユニット５は、図６〜図８に示すように、筐体１の内部に配置された端子台６と、端子台６を支持する端子台支持部材７と、端子台６と端子台支持部材７とに挟まれて配置されたアース接地板８と、を備えている。また、電源ユニット５は、端子台６と、端子台支持部材７に係止させたアース接地板８と、を端子台支持部材７に共締めするネジ部材から成る固定部材９を備えている。
【００２０】
室外機１００は、運転に必要な電力を、室外機１００に取り付けられた配線を通じて外部から取り入れている。また、室外機１００は、配線を使用して、空気調和機の室内機（図示省略）を運転するための電力を供給したり、室内機を制御するための信号を送信したりする。室外機１００は、これらの電力及び信号の授受を行うため、複数の配線を室外機１００内へ引き込み、内部に設けられた端子台６へ接続した構成とされている。なお、室外機１００の端子台６は、室内機の端子台にＶＶＦケーブルを用いて電気的に接合される。
【００２１】
端子台６は、合成樹脂で構成されており、図８及び図９に示すように、複数の内部配線側端子６ａと複数の外部配線側端子６ｂと、を有している。端子台６は、現地据え付け時に、外部配線を内部配線に接続させる仲介の機能を持つものである。外部配線とは、例えば空気調和機の室内機との接続線、及び電源線である。
【００２２】
端子台６には、図９に示すように、左右の両端面から外方へ突き出す矩形状の突起部６０、６０が設けられている。突起部６０には、固定部材９の軸部９０を通す大きさの切り欠き孔６１が形成されている。なお、切り欠き孔６１は、左右の突起部６０にそれぞれ形成した構成を示しているが、固定部材９の軸部９０を通す一方の突起部６０にのみ形成した構成でもよい。
【００２３】
端子台支持部材７は、合成樹脂で構成されており、図４及び図５に示すように、右側面パネル１１の内面側に取り付けられて端子台６を支持するものである。端子台支持部材７は、図１０に示すように、端子台６とアース接地板８を取り付ける平板状の支持部７０と、支持部７０の左右の側縁辺から右側面パネル１１に向かって突き出すフランジ部７１と、で構成されている。一方のフランジ部７１は、右側面パネル１１の開口部１１ａの開口縁に設けられた一方の取付部１１ｂにネジ接合されている。そして、他方のフランジ部７１は、爪部７１ａが形成されており、その爪部７１ａが他方の取付部１１ｂに形成された通孔へ差し込まれて取付部１１ｂに取り付けられている。つまり、電源ユニット５は、右側面パネル１１の開口部１１ａの開口縁に設けられた取付部１１ｂに、端子台支持部材７のフランジ部７１を固定することで、右側面パネル１１の内面側に傾斜させて取り付けられる。このように、電源ユニット５を右側面パネル１１に対して傾斜させた構造とすることで、端子台６に内外接続線（図示省略）を接続する際の作業性を良くすることができる。なお、端子台支持部材７を右側面パネル１１に取り付ける構造は、図示した構成に限定されず、他の構造でもよい。
【００２４】
また、図１０に示すように、端子台支持部材７の支持部７０には、矩形状の開口部７２が形成されている。詳細に図示することは省略したが、電源ユニット５は、右側面パネル１１に取り付けられる前に、電装品ユニット４の右側面パネル１１の内面と対向する面に設けられたフック部４６に、開口部７２の上縁を掛け止めて電装品ユニット４に仮固定された状態で搬送される。
【００２５】
また、端子台支持部材７には、図７、図８及び図１０に示すように、端子台６の一方の突起部６０が挿入される突起挿入部７３が形成されている。具体的には、支持部７０には、幅方向において開口部７２に隣接する面（図８では左側）に、端子台６を取り付ける側に向かって突き出す段差部７０ｂが形成されている。そして、段差部７０ｂに支持部７０の幅方向に向かって開口部７２と連通する突起挿入部７３が形成されている。端子台６は、図６〜図８に示すように、突起挿入部７３に差し込まれた突起部６０が、段差部７０ｂに載置されて端子台支持部材７に位置決めされる。
【００２６】
なお、端子台６の突起部６０と、端子台支持部材７の突起挿入部７３の関係は、上記構成に限定されない。詳細に図示することは省略したが、例えば、端子台支持部材７の支持部７０に凸部又は凹部を形成し、支持部７０の凸部又は凹部と嵌り合う凹部又は凸部を端子台６に形成した構成でもよい。要するに、端子台支持部材７の支持部７０と、端子台６とが互いに嵌り合い、端子台６が端子台支持部材７に位置決めされる構造であれば他の構造でもよい。
【００２７】
また、端子台支持部材７の支持部７０には、図８、図１０及び図１１に示すように、開口部７２の下方に、アース接地板８の上縁部と左右の側縁部を嵌め込み、位置決めするための凹部７０ａが形成されている。凹部７０ａの溝深さは、アース接地板８の板厚と同程度とし、アース接地板８をきっちりと凹部７０ａ内に嵌め込むことができる寸法であることが望ましい。
【００２８】
また、端子台支持部材７の支持部７０には、図８及び図１０に示すように、固定部材９の軸部９０をネジ込むネジ孔７４が１つ形成されている。
【００２９】
なお、端子台支持部材７は、合成樹脂製であることを前提に説明したが、板金で成形することも可能である。但し、室外機１００は、端子台支持部材７を合成樹脂製で構成することで、開口部７２の形成の自由度が高くなり、電装品ユニット４に仮固定する際の作業性を高めることができる。また、室外機１００は、端子台支持部材７を板金で成形して、電源ユニット５を電装品ユニット４に仮固定せずに固定することも可能であるが、電装品ユニット４が筐体１の内部の上部にあることから、保護カバー１８が大型化しコストアップしてしまう。よって、端子台支持部材７は、作業性並びに製造コストを考慮して合成樹脂製とすることが望ましい。本実施の形態の空気調和機の室外機１００では、上記理由により、端子台支持部材７を合成樹脂製として、アース接地板８と組み合わせた構成としている。
【００３０】
アース接地板８は、図６及び図７に示すように、板金で構成されており、例えば空気調和機の室内機との接続線、及び電源線のアース接地を可能とするためのものである。因みに、符号８４がアースねじを示している。アース接地板８には、図１２に示すように、端子台支持部材７に係止させる係止部８０が形成されている。係止部８０は、アース接地板８の縁辺の一部を端子台支持部材７に向かって折り返したＵ字状のクリップ構造である。係止部８０は、図示例の場合、アース接地板８の下縁の一端側をＵ字状としている。つまり、アース接地板８は、係止部８０のＵ字状の内部へ端子台支持部材７の縁辺が差し込まれて端子台支持部材７に係止される。なお、クリップ構造の係止部８０は、アース接地板８を端子台支持部材７に係止させることができれば、図示した実施の形態に限定されず、例えば上縁の一部に設けても良い。
【００３１】
また、アース接地板８の係止部８０は、図示したＵ字状に限定されない。詳細に図示することは省略したが、係止部８０は、例えば、アース接地板８に表面に凸部又は凹部を形成し、端子台支持部材７の支持部７０に、アース接地板８の凸部又は凹部が嵌り合う凹部又は凸部を設けて係止させる構成でもよい。要するに、係止部８０は、アース接地板８を端子台支持部材７に係止させる構造であれば、他の構造でもよい。
【００３２】
また、アース接地板８には、図１２に示すように、端子台６の突起部６０に形成された切り欠き孔６１及び端子台支持部材７に形成されたネジ孔７４と共通する位置に、固定部材９の軸部９０を通す通孔８１が形成されている。
【００３３】
また、アース接地板８は、下端部が端子台支持部材７に向かって屈曲された屈曲面部８２を有している。屈曲面部８２には、ネジ部材８３の軸部を通すための通孔８２ａが形成されている。アース接地板８は、図４及び図５に示すように、通孔８２ａに通したネジ部材８３によって右側面パネル１１に固定されている。これにより、板金で成るアース接地板８と、板金で成る右側面パネル１１とが導通され、アース経路を確保することができる。したがって、本実施の形態の室外機１００は、電装品ユニット４から漏電が発生した場合であっても、アース接地板８から電源線に設けられたアース線を伝い接地され、人が室外機に接触しても感電による人体への被害を防止することができる。
【００３４】
固定部材９は、図６及び図８に示すように、端子台６と、端子台支持部材７に係止部８０で係止させたアース接地板８と、を端子台支持部材７に共締めする１本のネジ部材から成る。固定部材９は、端子台６の切り欠き孔６１に通した軸部９０を、アース接地板８の通孔８１に通し、軸部９０の先端部を端子台支持部材７に形成したネジ孔７４にネジ込んで締結される。なお、端子台６は、回転防止のため従来では２本以上の固定部材で固定される。しかし、本実施の形態の空気調和機の室外機１００では、端子台６の突起部６０が突起挿入部７３で位置決めされているので、固定部材９が１本であっても回転防止を図ることができる。
【００３５】
本実施の形態の空気調和機の室外機１００は、端子台支持部材７に係止させる係止部８０がアース接地板８に形成されており、端子台６と端子台支持部材７に係止させたアース接地板８と、を端子台支持部材７に共締めする固定部材９を有する構成である。よって、この室外機１００は、端子台６及びアース接地板８を端子台支持部材７に取り付ける組立作業において、アース接地板８を端子台支持部材７に係止部８０で係止させて仮固定し、アース接地板８を安定させた状態で、端子台６とアース接地板８とを端子台支持部材７に共通の固定部材９で共締めできるので、組立作業に必要な手数を省略することができ、作業性の向上を図ることができる。
【００３６】
また、この室外機１００は、端子台６とアース接地板８とを端子台支持部材７に共通の固定部材９で共締めするので、部材点数を減らすことができるし、端子台６、端子台支持部材７及びアース接地板８に、固定部材９の軸部９０を通すための通孔を複数形成する必要もない。よって、この室外機１００は、製造コストを削減することができる。
【００３７】
また、本実施の形態の空気調和機の室外機１００は、縁辺の一部を折り返してＵ字状とした係止部８０のＵ字の内部へ、端子台支持部材７の縁辺が差し込まれてアース接地板８が端子台支持部材７に係止された構成である。よって、アース接地板８は、非常に簡易な構造なので加工が容易であり、その上、アース接地板８を端子台支持部材７にしっかりと係止させて仮止めすることができる。
【００３８】
また、本実施の形態の空気調和機の室外機１００は、端子台６に、端子台支持部材７へ向かって突き出す突起部６０が設けられ、端子台支持部材７に突起部６０が挿入される突起挿入部７３が形成されているので、端子台６を端子台支持部材７に仮固定し、端子台６を安定させた状態で、端子台６とアース接地板８と、を端子台支持部材７に固定部材９で共締めでき、作業性の向上を図ることができる。
【００３９】
また、本実施の形態の空気調和機の室外機１００は、アース接地板８が筐体１にネジ部材８３で固定されているので、アース接地板８と筐体１とが導通されて、アース経路を確保することができる。よって、この室外機１００は、電装品ユニット４から漏電が発生した場合であっても、アース接地板８から電源線に設けられたアース線を伝い接地され、人が室外機１００に接触しても感電による人体への被害を防止することができる。
【符号の説明】
【００４０】
１  筐体、２  送風機室、３  機械室、４  電装品ユニット、５  電源ユニット、６  端子台、６ａ  内部配線側端子、６ｂ  外部配線側端子、７  端子台支持部材、８  アース接地板、９  固定部材、１０  前側面パネル、１１  右側面パネル、１１ａ  開口部、１１ｂ  取付部、１２  底面パネル、１３  天面パネル、１４  背面パネル、１５  脚部、１６  ファンガード、１７  セパレータ、１８  保護カバー、２０  熱交換器、２１  プロペラファン、２２  モーター、２３  モーター取付台、３０  圧縮機、３１  冷媒配管、４０  制御基板、４１  基板固定枠、４２  基板保護板金、４３  ヒートシンク、４４  絶縁保護部材、４５  ヒートシンク固定板金、４６  フック部、６０  突起部、６１  切り欠き孔、７０  支持部、７０ａ  凹部、７０ｂ  段差部、７１  フランジ部、７１ａ  爪部、７２  開口部、７３  突起挿入部、７４  ネジ孔、８０  係止部、８１  通孔、８２  屈曲面部、８２ａ  通孔、８３  ネジ部材、８４  アースねじ、９０  軸部、１００  室外機。
【図１】
0006628904.tif 000002
【図２】
0006628904.tif 000003
【図３】
0006628904.tif 000004
【図４】
0006628904.tif 000005
【図５】
0006628904.tif 000006
【図６】
0006628904.tif 000007
【図７】
0006628904.tif 000008
【図８】
0006628904.tif 000009
【図９】
0006628904.tif 000010
【図１０】
0006628904.tif 000011
【図１１】
0006628904.tif 000012
【図１２】
0006628904.tif 000013